(57)【要約】【課題】内径の異なる中央孔が形成された各種のラベル紙を正確かつ容易に位置決め保持し得るラベル保持具を提供する。【解決手段】ディスク体に貼付可能に構成されたラベル紙を載置可能にその上面２２ａが平坦に形成された載置台２と、ラベル紙の中央部に形成された中央孔の口縁に当接してラベル紙を載置台２上のラベル保持位置に位置決めしつつ保持するラベル保持手段とを備え、ラベル保持手段は、３つのラベル保持部３と、案内板４とを備え、各ラベル保持部３は、中央孔の口縁にその内側から当接可能な保持片３２が立設されると共に載置台２に取り付けられて互いに離反または接近する方向にスライド可能に構成され、案内板４は、載置台２に対して回動させられることによって各ラベル保持部３を離反または接近する方向において互いに同等の距離だけスライド可能に構成されている。【選択図】　　　　図３
2004083111.tif 000002
【特許請求の範囲】
【請求項１】
ディスク体に貼付可能に構成されたラベル紙を載置可能にその上面が平坦に形成された載置台と、前記ラベル紙の中央部に形成された中央孔の口縁に当接して当該ラベル紙を前記載置台上のラベル保持位置に位置決めしつつ保持するラベル保持手段とを備えたラベル保持具であって、
前記ラベル保持手段は、Ｎ個（Ｎは３以上の自然数）のラベル保持部と、スライド機構とを備え、
前記各ラベル保持部は、前記中央孔の口縁にその内側から当接可能なラベル保持片が立設されると共に前記載置台に取り付けられて互いに離反または接近する方向にスライド可能にそれぞれ構成され、
前記スライド機構は、前記載置台に対して回動させられることによって前記各ラベル保持部を前記離反または接近する方向において互いに同等の距離だけスライド可能に構成されているラベル保持具。
【請求項２】
前記載置台は、前記各ラベル保持部のそれぞれのスライド方向に沿ってＮ本の第１スリットが形成されて構成され、前記スライド機構は、前記各スライド方向に対してそれぞれ交差する方向に沿ってＮ本の第２スリットが形成されると共に前記載置台に対して回動可能に取り付けられた案内板を備え、前記ラベル保持部は、前記第１スリットおよび前記第２スリットを連通可能な突起を備えている請求項１記載のラベル保持具。
【請求項３】
前記各第１スリットは、前記案内板の回動の中心をそれぞれ通過して互いに交差する仮想直線に沿って形成され、前記第２スリットは、前記回動の中心側の端部から外側の端部にかけて前記第１スリットとの交差角度が徐々に拡がるように形成されている請求項２記載のラベル保持具。
【請求項４】
前記ラベル保持片は、前記中央孔の口縁に当接させられる外壁面がその下端部から上端部にかけて前記回動の中心から徐々に離間する向きに迫り出した逆テーパ状に形成されている請求項１から３のいずれかに記載のラベル保持具。
【請求項５】
前記ラベル保持片は、その上面視形状が円弧状に形成されている請求項１から４のいずれかに記載のラベル保持具。
【請求項６】
請求項１から５のいずれかに記載のラベル保持具と、
上面開口部位を介して収容された前記ディスク体における中央孔の口縁を係止することによって当該ディスク体を保持するディスク保持部が形成されたケース本体、および当該ケース本体に軸支されて当該ケース本体の前記上面開口部位を閉塞すると共にインデックスカードを保持するインデックスカード保持部が形成された蓋体を有するディスク収容ケースとを備え、
前記ラベル保持具は、前記蓋体の前記インデックスカード保持部に取付け可能に構成され、
前記蓋体に取り付けられた前記ラベル保持具に前記ラベル紙を保持させた状態において前記ディスク体を保持させている前記ケース本体を当該蓋体に対して相対的に回動させて前記上面開口部位を閉塞することにより、当該ディスク体に当該ラベルを面的接触させて貼付可能に構成されているラベル貼付装置。
【請求項７】
前記ディスク保持部は、前記ディスク体における中央孔の口縁を係止する複数の係止片を備えて構成され、
前記案内板は、前記ケース本体を相対的に回動させて前記上面開口部位を閉塞したときに前記各係止片の先端部がそれぞれ当接可能に前記載置台の上方に突出させられる回動操作用のつまみを備えている請求項６記載のラベル貼付装置。
【発明の詳細な説明】
【０００１】
【発明の属する技術分野】
本発明は、ディスク体に貼付するラベル紙を保持可能に構成されたラベル保持具、およびそのラベル保持具によって保持された状態のラベル紙をディスク体に貼付可能に構成されたラベル貼付装置に関するものである。
【０００２】
【従来の技術】
この種のラベル貼付装置として、特開２００１−７６３８６号公報に開示されているラベル貼付装置が従来から知られている。このラベル貼付装置は、光ディスク（４、ディスク体）を位置決め保持するディスク位置決め突部（５）が中央部に形成されたケース本体（１）と、回動軸（７）を介してケース本体に回動可能に支持された回動蓋（２）と、回動蓋に装着可能な板状部材（３）とを備え、光ディスクにラベル（１８）を貼付可能に構成されている。この場合、ラベルには、円形の中央開口部（２７）が形成されている。また、板状部材（ラベル保持具）には、ラベルの中央開口部に嵌入してラベルを位置決めするためのラベル位置決め突部（１３）が形成されている。この場合、ラベル位置決め突部の直径は、ラベルの中央開口部と同径に形成されている。このラベル貼付装置を用いて光ディスクにラベルを貼付する際には、まず、回動蓋に板状部材を取り付ける。次に、光ディスクをケース本体に装着すると共に、粘着剤層（２１）を上向きにしてラベルを板状部材にセットする。この際に、ラベルは、ラベル位置決め突部に中央開口部が嵌め合わされることによって、板状部材に位置決めされる。次いで、回動蓋に対してケース本体を回動させて閉じることにより、ラベルの粘着剤層が光ディスクの表面に密着して光ディスクに対するラベルの貼り付けが完了する。
【０００３】
【発明が解決しようとする課題】
ところが、従来のラベル貼付装置には、以下の問題点がある。すなわち、従来のラベル貼付装置では、ラベル（ラベル紙）は、板状部材（ラベル保持具）のラベル位置決め突部に中央開口部が嵌め合わされることにより、板状部材によって位置決めされつつ保持されている。この場合、従来のラベル貼付装置では、板状部材の中央部を凸状に形成することによってラベル位置決め突部が形成されている。一方、この種のラベル紙には、その中央開口部（中央孔）の内径が異なる各種サイズのラベル紙が存在する。したがって、従来のラベル貼付装置には、ラベル位置決め突部の直径よりも小径の中央孔が形成されたラベル紙を位置決め保持することができないという問題点がある。また、ラベル位置決め突部の直径よりも大径の中央孔が形成されたラベル紙については、中央孔の口縁とラベル位置決め突部の壁部との間に隙間が生じてラベル保持具に対してラベルが遊動する結果、ラベル保持具の中央にラベル紙を位置合わせするのが困難という問題点がある。この場合、ラベル保持具に対してラベルが偏心している状態で回動蓋に対してケース本体を回動させたときには、光ディスクに対してラベル紙が偏心した状態で貼付される。かかる場合には、その光ディスクの再生に際して光ディスクが高速回転させられたときに、ラベル紙の偏心に起因する振動が生じるため、記録データを正常に読み取るのが困難となる。
【０００４】
この場合、中央孔の内径が異なる各種のラベル紙を位置決め保持するために、その直径が異なる各種のラベル保持用アダプタを備えたラベル貼付装置も考案されている。しかし、中央孔の内径が互いに異なる数多くのラベルを位置決め保持可能とするためには、その種類の数だけ数多くのアダプタを用意する必要があり、アダプタの管理が煩雑であると共に、使用に際して適当な直径のアダプタを探し出すのに時間を要するという問題点がある。また、同一メーカ製の同一タイプのラベル紙であっても、その製造時に中央孔の内径に僅かな差異が生じることがある。したがって、この僅かな差異に対応してさらに数多くのアダプタを用意するのが事実上困難であるため、現実的には、ラベル保持具に対してラベル紙を正確に位置決め保持させるのが困難であるという問題点もある。
【０００５】
本発明は、かかる問題点に鑑みてなされたものであり、内径の異なる中央孔が形成された各種のラベル紙を正確かつ容易に位置決め保持し得るラベル保持具、およびディスク体に対してラベル紙を偏心させることなく貼付可能なラベル貼付装置を提供することを主目的とする。
【０００６】
【課題を解決するための手段】
上記目的を達成すべく本発明に係るラベル保持具は、ディスク体に貼付可能に構成されたラベル紙を載置可能にその上面が平坦に形成された載置台と、前記ラベル紙の中央部に形成された中央孔の口縁に当接して当該ラベル紙を前記載置台上のラベル保持位置に位置決めしつつ保持するラベル保持手段とを備えたラベル保持具であって、　前記ラベル保持手段は、Ｎ個（Ｎは３以上の自然数）のラベル保持部と、スライド機構とを備え、前記各ラベル保持部は、前記中央孔の口縁にその内側から当接可能なラベル保持片が立設されると共に前記載置台に取り付けられて互いに離反または接近する方向にスライド可能にそれぞれ構成され、前記スライド機構は、前記載置台に対して回動させられることによって前記各ラベル保持部を前記離反または接近する方向において互いに同等の距離だけスライド可能に構成されている。
【０００７】
この場合、前記載置台は、前記各ラベル保持部のそれぞれのスライド方向に沿ってＮ本の第１スリットが形成されて構成され、前記スライド機構は、前記各スライド方向に対してそれぞれ交差する方向に沿ってＮ本の第２スリットが形成されると共に前記載置台に対して回動可能に取り付けられた案内板を備え、前記ラベル保持部は、前記第１スリットおよび前記第２スリットを連通可能な突起を備えているのが好ましい。
【０００８】
また、前記各第１スリットは、前記案内板の回動の中心をそれぞれ通過して互いに交差する仮想直線に沿って形成され、前記第２スリットは、前記回動の中心側の端部から外側の端部にかけて前記第１スリットとの交差角度が徐々に拡がるように形成されているのが好ましい。
【０００９】
さらに、前記ラベル保持片は、前記中央孔の口縁に当接させられる外壁面がその下端部から上端部にかけて前記回動の中心から徐々に離間する向きに迫り出した逆テーパ状に形成されているのが好ましい。
【００１０】
また、前記ラベル保持片は、その上面視形状が円弧状に形成されているのが好ましい。
【００１１】
また、本発明に係るラベル貼付装置は、上記のラベル保持具と、上面開口部位を介して収容された前記ディスク体における中央孔の口縁を係止することによって当該ディスク体を保持するディスク保持部が形成されたケース本体、および当該ケース本体に軸支されて当該ケース本体の前記上面開口部位を閉塞すると共にインデックスカードを保持するインデックスカード保持部が形成された蓋体を有するディスク収容ケースとを備え、前記ラベル保持具は、前記蓋体の前記インデックスカード保持部に取付け可能に構成され、前記蓋体に取り付けられた前記ラベル保持具に前記ラベル紙を保持させた状態において前記ディスク体を保持させている前記ケース本体を当該蓋体に対して相対的に回動させて前記上面開口部位を閉塞することにより、当該ディスク体に当該ラベルを面的接触させて貼付可能に構成されている。
【００１２】
この場合、前記ディスク保持部は、前記ディスク体における中央孔の口縁を係止する複数の係止片を備えて構成され、前記案内板は、前記ケース本体を相対的に回動させて前記上面開口部位を閉塞したときに前記各係止片の先端部がそれぞれ当接可能に前記載置台の上方に突出させられる回動操作用のつまみを備えているのが好ましい。
【００１３】
【発明の実施の形態】
以下、添付図面を参照して、本発明に係るラベル保持具およびラベル貼付装置の好適な実施の形態について説明する。
【００１４】
最初に、本発明に係るラベル貼付装置の構成について、図面を参照して説明する。
【００１５】
図１に示すラベル貼付装置Ｓ１は、一例として、その直径が１２ｃｍのＣＤ−ＲやＣＤ−ＲＷなどの光ディスクＤ（本発明におけるディスク体）にラベル紙１０を貼付可能に構成された装置であって、ラベル保持具１とディスク収容ケース（以下、「収容ケース」ともいう）１１とを備えている。この場合、光ディスクＤには、その中央部に直径１５ｍｍ程度のクランプ（チャッキング）用の中心孔Ｄａが形成されると共に、中心孔Ｄａの周囲には、幅１〜１３ｍｍ程度のクランプエリアＤｂが設けられている。また、ラベル紙１０は、その裏面に粘着剤層が形成されて台紙１０ｂに貼付されると共に、その中央部には、光ディスクＤに貼付された状態においてクランプエリアＤｂを露出させるための中央孔１０ａが形成されて構成されている。この中央孔１０ａの内径は、１７〜４１ｍｍの範囲で製造メーカや製品タイプ毎に様々に異なっている。また、このラベル紙１０は、その表面に筆記具や印刷機によって各種記号や図柄を書込み（印刷）可能に構成されている。
【００１６】
収容ケース１１は、その厚みが１０ｍｍの一般的なディスク収容ケースであって、ケース本体１２、蓋体１３およびトレー１４を備えている。ケース本体１２は、トレー１４を取付け可能に構成されると共に、その底板１２ａに側壁１２ｂ，１２ｂが立設されて構成されている。また、側壁１２ｂ，１２ｂには、蓋体１３を回動可能に軸支するための孔（図示せず）が形成されている。蓋体１３を構成する天板１３ｄには、側壁１３ｅ，１３ｅが立設されており、この側壁１３ｅ，１３ｅには、ケース本体１２に取り付けるための回動軸１３ａ，１３ａと、インデックスカード（図示せず）を保持するインデックスカード保持片（以下、「保持片」ともいう）１３ｂ，１３ｂ・・とが形成されている。また、天板１３ｄの内面には、インデックスカードの移動を規制するストッパ１３ｃ，１３ｃが突出形成されている。この場合、蓋体１３の天板１３ｄ、側壁１３ｅ，１３ｅ、保持片１３ｂ，１３ｂ・・およびストッパ１３ｃ，１３ｃによって本発明におけるインデックスカード保持部が構成される。トレー１４は、光ディスクＤを保持するためのディスク保持部１５を備えている。このディスク保持部１５は、光ディスクＤにおける中心孔Ｄａの口縁を係止して光ディスクＤをトレー１４に保持するための複数のディスク係止片（以下、「係止片」ともいう）１５ａ，１５ａ・・を備えて構成され、その各先端部の内壁によって円形の孔１５ｂが形成されている。
【００１７】
一方、図２に示すように、ラベル保持具１は、収容ケース１１における蓋体１３に取り付け可能に全体としてインデックスカードと同様の矩形状に形成されている。また、ラベル保持具１は、図３に示すように、載置台２と、３個（本発明におけるＮ個の一例）のラベル保持部（以下、「保持部」ともいう）３と、案内板４とを備えている。載置台２は、矩形状のベース部２１と、ラベル紙１０を載置可能にその上面２２ａが平坦に形成された円板状の載置部２２とが樹脂で一体成形されている。この場合、載置部２２には、保持部３，３，３を載置部２２の中心部に対して内向きおよび外向きに案内するための３本の案内溝２３，２３，２３が形成されると共に、各案内溝２３，２３，２３の内底面には、載置部２２の裏面に連通するスリット２４が形成されている。このスリット２４は、本発明における第１スリットに相当し、保持部３のスライド方向（図５に示す矢印Ｃ１，Ｃ２の向き）に沿って直線状に形成されている。また、載置部２２の中心部には、案内板４のつまみ４１を挿通させるための挿通孔２５が形成されている。この挿通孔２５の中心が本発明における回動の中心に相当する。さらに、載置部２２の裏面には、載置台２の裏面側に案内板４を回動可能に取り付けるための突起２６，２６が形成されている。
【００１８】
保持部３は、図４に示すように、載置台２の案内溝２３に嵌入可能なスライド板３１と、スライド板３１上に立設された高さ１ｍｍ程度のラベル保持片（以下、「保持片」ともいう）３２と、スライド板３１の下面に形成されて載置台２のスリット２４に挿通させられる突起３３とを備えている。この場合、図５に示すように、スライド板３１は、案内溝２３の溝長よりも短尺に形成されると共に、図６に示すように、案内溝２３に嵌入された状態では、その上面が載置部２２の上面２２ａと面一となるように薄板状に形成されている。また、保持片３２は、図５に示すように、その上面視が円弧状に形成されると共に、図６に示すように、ラベル紙１０における中央孔１０ａの口縁に当接させられる外壁面が下端部から上端部にかけて外側に向かって徐々に迫り出す向きの（回動の中心から徐々に離間する向きに迫り出した）逆テーパ状に形成されている。この場合、スライド板３１の上面と保持片３２の外壁面との成す角度θ１は、一例として、８９°程度に規定されている。また、突起３３は、載置台２のスリット２４と、案内板４のスリット４２（図３参照）とを連通可能な長さに形成され、その下端部には、スリット４２の口縁部を係止するための係止爪が形成されている。
【００１９】
案内板４は、本発明におけるスライド機構し、図７に示すように、全体として円板状に形成されている。この案内板４には、載置台２の下方から挿通孔２５に挿通させられてその先端部が載置部２２の上面２２ａ側に突出させられるつまみ４１（本発明における回動の中心）が形成されると共に、載置台２のスリット２４，２４，２４と相俟って保持部３を図５に示す矢印Ｃ１，Ｃ２の向きにスライドさせるための３本のスリット４２，４２，４２と、載置台２の突起２６が挿通されることによって載置台２に対する案内板４の回動可能範囲を制限する（この例では、９０°の範囲に制限する）ためのスリット４３，４３とが形成されている。この場合、つまみ４１は、図１１に示すように、ラベル保持具１を取り付けた状態の蓋体１３に対してケース本体１２を相対的に回動させてケース本体１２の上面開口部位を閉塞した際に、ディスク保持部１５における係止片１５ａ，１５ａ・・の先端部が上端部側の側壁に当接可能にその側面視が台形状に形成されている。
【００２０】
また、スリット４２，４２，４２は、本発明における第２スリットに相当し、図７に示すように、互いに対応する部位がつまみ４１の中心から等しい距離にそれぞれ形成されている。このスリット４２は、つまみ４１側の内側端部４２ａ（本発明における中心側の端部）からその外縁部側の外側端部４２ｂにかけて、つまみ４１の中心を通過する仮想直線（同図にそれぞれ破線で示す各直線。すなわち、載置台２におけるスリット２４，２４，２４の形成方向）との交差角度が徐々に拡がるように形成されている。具体的には、図７に示すように、つまみ４１の中心を通過する仮想直線Ｘ１ａと、内側端部４２ａにおけるスリット４２の形成方向に対応する仮想直線Ｘ２ａとの交差角度θ３ａに対して、つまみ４１の中心を通過する仮想直線Ｘ１ｂと、外側端部４２ｂにおけるスリット４２の形成方向に対応する仮想直線Ｘ２ｂとの交差角度θ３ｂが一層拡がった角度（広角）となるように形成されている。したがって、載置台２に対して案内板４を回動させた際には、載置台２のスリット２４と案内板４のスリット４２との交点（すなわち、スリット２４，４２を挿通させられた突起３３）が、案内板４の回転量に対してほぼ一定の比率でつまみ４１の中心に対して接近または離間させられる。
【００２１】
また、スリット４２の内側端部４２ａとつまみ４１の中心とを通過する仮想直線Ｘ１ａ、および外側端部４２ｂとつまみ４１の中心とを通過する仮想直線Ｘ１ｂの成す角度θ２は、一例として、９０°に規定されている。また、スリット４２の内側端部４２ａとつまみ４１の中心との距離、および外側端部４２ｂとつまみ４１の中心との距離の差である距離Ｌ１は、一例として１２ｍｍとなるように形成されている。この場合、各保持部３，３，３の各突起３３，３３，３３が各スリット４２，４２，４２の内側端部４２ａにそれぞれ接している状態（図５に実線で示す状態）では、各保持片３２，３２，３２によってその直径Ｌ２が１７ｍｍの円が形成される。したがって、各保持部３，３，３の各突起３３，３３，３３が各スリット４２，４２，４２の外側端部４２ｂにそれぞれ接している状態（図５に破線で示す状態）では、各保持片３２，３２，３２の最外縁部を通過する円の直径Ｌ３が４１ｍｍ（１２ｍｍ×２＋１７ｍｍ）となる。一方、スリット４３，４３は、載置台２に取り付けた状態（スリット４３に突起２６を挿通させた状態）で案内板４を９０°回転可能に形成されている。なお、前述した保持部３，３，３と案内板４とによって本発明におけるラベル保持手段が構成される。
【００２２】
次に、ラベル貼付装置Ｓ１の使用方法について、図面を参照して説明する。
【００２３】
光ディスクＤにラベル紙１０を貼付する際には、まず、台紙１０ｂに貼付された状態のラベル紙１０に、貼付対象の光ディスクＤに記録された記録データの内容等をプリンタなどで印刷する。次に、図１に示すように、収容ケース１１のケース本体１２（トレー１４）に、表面（ラベル紙１０を貼付する側の面）を上向きにして光ディスクＤを取り付ける。この際には、ディスク保持部１５の係止片１５ａ，１５ａ・・によって中心孔Ｄａの口縁部が係止されることにより、光ディスクＤがケース本体１２によって保持される。次いで、蓋体１３のインデックスカード保持部にラベル保持具１を取り付ける。この際に、ラベル保持具１は、そのベース部２１が蓋体１３の天板１３ｄと保持片１３ｂ，１３ｂ・・とによって挟まれて、天板１３ｄの内面に沿って僅かに移動可能な状態に保持される。次に、載置台２に対してつまみ４１を図５に示す矢印Ｂ２の向きで回動させることにより、同図に実線で示すように、各保持部３，３，３の保持片３２，３２，３２を内周側に移動させて互いに接触させる。これにより、中央孔１０ａの内径が１７ｍｍ以上のラベル紙１０を載置台２上に載置可能な状態となる。次いで、台紙１０ｂからラベル紙１０を剥がして、図８に示すように、粘着剤層を上向きにしてラベル保持具１における載置台２の上に載置する。
【００２４】
次に、図５に示す矢印Ｂ１の向きで案内板４のつまみ４１を載置台２に対して回動させる。この際には、載置台２に対して案内板４が回動させられることにより、載置部２２のスリット２４および案内板４のスリット４２を連通させられている突起３３が同図に示す矢印Ｃ１の向きで移動させられる。この結果、案内溝２３に嵌入されている保持部３，３，３が図８に示す矢印Ｃ１の向きにおいて互いに等しい距離（同等の距離）だけスライドさせられる。次いで、つまみ４１をさらに回動させた際には、図９に示すように、矢印Ｃ１の向きでスライドさせられた保持部３，３，３の保持片３２，３２，３２がラベル紙１０における中央孔１０ａの口縁部に当接する。この際に、図６に示すように、各保持片３２，３２，３２の外壁面が逆テーパ状に形成されているため、ラベル紙１０は、その中央孔１０ａの口縁部を下向きに押し付けられるようにして位置決めされつつ保持されて、載置台２からの上動が規制される。また、各保持部３，３，３がつまみ４１（すなわち、載置台２の中央）に対して互いに等しい距離（同等の距離）だけスライドさせられているため、保持片３２，３２，３２がつまみ４１から互いに等しい距離に配置される。したがって、保持片３２，３２，３２の外壁面が中央孔１０ａの口縁部に当接した状態のラベル紙１０は、保持片３２，３２，３２によって載置台２の中央部（本発明におけるラベル保持位置）に位置決めされた状態で保持される。
【００２５】
次いで、この状態の蓋体１３に対して図１に示す矢印Ｅ１の向きでケース本体１２を回動させる。この際には、図１０に示すように、トレー１４のディスク保持部１５によって保持された光ディスクＤが、蓋体１３に取り付けたラベル保持具１によって保持されているラベル紙１０の上方に位置させられる。この状態で、ケース本体１２が矢印Ｅ１の向きでさらに回動（蓋体１３に対して下動）させられることにより、図１１に示すように、つまみ４１の先端部がディスク保持部１５の孔１５ｂに挿入されて、係止片１５ａ，１５ａ・・の先端部がつまみ４１の周面に接触させられる。この際に、つまみ４１が台形状に形成されているため、ケース本体１２の下動に伴って、係止片１５ａ，１５ａ・・によってつまみ４１がディスク保持部１５の中心に移動させられつつ位置決めされる。したがって、ラベル保持具１の中心（すなわち、ラベル紙１０の中心）と、トレー１４の中心（すなわち、光ディスクＤの中心）とが位置ずれしていたとしても、双方の中心が上下方向で位置合わせされる。この状態でケース本体１２をさらに下動した際には、図１２に示すように、各保持片３２，３２，３２の上面が光ディスクＤのクランプエリアＤｂに当接させられる。
【００２６】
続いて、ケース本体１２の底板１２ａと蓋体１３の天板１３ｄとを互いに接近させるようにして収容ケース１１を全面に亘って押圧することにより、光ディスクＤの表面にラベル紙１０の粘着剤層が密着させられる。この場合、ケース本体１２における底板１２ａの中央部を押し下げるようにして収容ケース１１を更に撓ませることにより、図１３に示すように、ラベル保持具１における載置部２２の中央部が凹むようにして撓まされる。この結果、保持片３２，３２の外壁面がそれぞれほぼ垂直となる結果、保持片３２，３２，３２によって保持されているラベル紙１０の上動が許容されてその中央孔１０ａ近傍がラベル保持具１から離脱する。次いで、図１，１２に示す矢印Ｅ２の向きで蓋体１３に対してケース本体１２を回動させる。これにより、図１４に示すように、ディスク保持部１５によって保持された状態の光ディスクＤにラベル紙１０が貼付されて作業が完了する。
【００２７】
このように、このラベル保持具１によれば、中央孔１０ａの口縁にその内側から当接可能な保持片３２が立設されると共に載置台２に取り付けられて互いに相反する（離反または接近する）方向（この場合、図５に示す矢印Ｃ１，Ｃ１，Ｃ１の向きで互いに離反する方向または矢印Ｃ２，Ｃ２，Ｃ２の向きで互いに接近する方向）にスライドさせられる３個の保持部３と、載置台２に対して回動させられることによって各保持部３，３，３を離反または接近する方向において等しい距離だけスライドさせる案内板４とでラベル保持手段を構成したことにより、案内板４を回動操作して保持部３，３，３をスライドさせることで、その内径が異なる各種サイズの中央孔１０ａにおける口縁に保持片３２，３２，３２を当接させて正確かつ容易に位置決めさせつつ保持させることができる。また、このラベル保持具１によれば、各保持部３，３，３のそれぞれのスライド方向に沿って３本のスリット２４が形成された載置台２（載置部２２）と、各スライド方向に対してそれぞれ交差する方向に沿って３本のスリット４２が形成されて載置台２に対して回動可能に取り付けられた案内板４と、スリット２４，４２を連通可能な突起３３を備えた保持部３とを備えたことにより、比較的簡易な構成でありながら、案内板４を回動させるだけで保持部３，３，３を容易にスライドさせることができると共に載置台２上にラベル紙１０を正確に位置決めさせつつ保持させることができる。
【００２８】
さらに、このラベル保持具１によれば、案内板４の回動の中心（つまみ４１の中心）を通過して互いに交差する仮想直線に沿って載置台２にスリット２４，２４，２４を形成すると共に、回動の中心側の内側端部４２ａから外側端部４２ｂにかけてスリット２４との交差角度が徐々に拡がるスリット４２を案内板４に形成したことにより、案内板４の回転量当りの保持部３のスライド量をほぼ均一とすることができるため、保持部３をスムーズにスライドさせることができる結果、ラベル紙１０を傷めることなく正確かつ容易に位置決めさせつつ保持させることができる。また、このラベル保持具１によれば、中央孔１０ａの口縁に当接させられる外壁面がその下端部から上端部にかけて回動の中心から徐々に離間する向きに迫り出した逆テーパ状に保持片３２を形成したことにより、中央孔１０ａの口縁に保持片３２，３２，３２の外壁面を当接させた状態においてラベル紙１０の上動を規制できるため、作業時における風や静電気等に起因する意図しない貼り付き（ラベル紙１０の上動）を回避することができる。さらに、このラベル保持具１によれば、その上面視形状が円弧状となるように保持片３２を形成したことにより、例えば小径ピン状のラベル保持片や角部を有するラベル保持片とは異なり、保持片３２の外壁面が中央孔１０ａの口縁に沿うようにして当接するため、中央孔１０ａの口縁部分を傷めることなくラベル紙１０を保持することができる。
【００２９】
また、このラベル貼付装置Ｓ１によれば、蓋体１３に取り付けたラベル保持具１にラベル紙１０を保持させた状態においてディスク保持部１５によって光ディスクＤを保持させているケース本体１２（トレー１４）を蓋体１３に対して相対的に回動させて上面開口部位を閉塞することで光ディスクＤにラベル紙１０を面的接触させて貼付可能に構成したことにより、各種直径の位置決め用アダプタを用意することなく、中央孔１０ａの内径が異なる各種のラベル紙１０をラベル保持具１によって位置決め保持させて光ディスクＤに貼付することができる。さらに、このラベル保持具１によれば、蓋体１３に対してケース本体１２を回動させて上面開口部位を閉塞したときに各係止片１５ａ，１５ａ・・の先端部がそれぞれ当接可能に載置台２の上方に突出させられた回動操作用のつまみ４１を案内板４に配設したことにより、光ディスクＤに対するラベル紙１０の貼付時にケース本体１２（トレー１４）の中央（すなわち、光ディスクＤの中央）と、ラベル保持具１の中央（すなわち、ラベル紙１０の中央）とを正確に位置決めしつつ貼付することができる。このため、光ディスクＤに対してラベル紙１０が偏心した状態で貼付されることに起因する再生不良の発生を回避することができる。
【００３０】
なお、本発明は、上記した実施の形態に限定されない。例えば、本発明の実施の形態では、つまみ４１を摘んで案内板４を回動操作可能に構成した例を説明したが、本発明はこれに限定されず、例えば、図１５に示すラベル保持具１Ａにおける案内板５４のように、載置部２２の外縁部にレバー５５を突出させた状態で取り付けて案内板５４を矢印Ｂ１，Ｂ２の向きで回動操作する構成を採用することもできる。この場合、レバー５５を例えば金属で形成して十分に薄厚にすることで、光ディスクＤにラベル紙１０を貼付する際に蓋体１３とケース本体１２とをほぼ完全に閉塞状態にすることができる。また、本発明の実施の形態では、本発明におけるＮ個（およびＮ本）の一例として３個の保持部３と、３本のスリット２４が形成された載置台２と、３本のスリット４２が形成された案内板４とを例に挙げて説明したが、本発明はこれに限定されず、４個以上の保持部３を配設すると共に保持部３の個数に応じた本数のスリットを載置台２および案内板４にそれぞれ形成する構成を採用することができる。
【００３１】
また、本発明における第２スリットの形状は、本発明の実施の形態に例示した形状に限定されず、例えば、図１６に示す案内板６４のスリット６５，６５，６５のように、直線状に形成してもよい。さらに、本発明におけるスライド機構は、載置台に形成した第１スリットと案内板に形成した第２スリットとによって突起３３を介して保持部３を移動させる構成に限定されず、例えば、図１７に示す案内板７４のように、回動操作に伴って保持部３の突起３３を外縁部７５に沿わせて移動させる構成を採用することもできる。この場合、例えばコイルスプリング等を用いて各保持部３，３，３をそれぞれ矢印Ｆの向きに付勢しておくのが好ましい。また、載置台２に対して保持部３をスライドさせる構成は、本発明に例示したスリット２４，４２に突起３３を嵌合させた構成に限定されず、例えば、保持部３のスライド板３１と案内板４とをリンク機構を介して連結させて、案内板４の回動に伴って保持部３をスライドさせる構成を採用することもできる。
【００３２】
また、本発明の実施の形態では、ラベル紙１０の貼付対象として直径１２ｃｍのＣＤ−ＲやＣＤ−ＲＷを例に挙げて説明したが、本発明におけるディスク体の直径は１２ｃｍに限定されず、さらに、その種類もＣＤ−ＲやＣＤ−ＲＷのみならず、ＣＤ−ＲＯＭ、ＤＶＤ−ＲＯＭ、ＤＶＤ−ＲおよびＤＶＤ−ＲＷなどの各種のディスク体を貼り付け対象とすることができる。さらに、本発明におけるディスク体は、光ディスクＤなどのディスク状記録媒体に限定されず、記録媒体以外の各種ディスク体を含む。また、本発明におけるディスク収容ケースは、ケース本体１２、蓋体１３およびトレー１４からなる収容ケース１１に限定されず、その内底面にディスク保持部１５が形成されたケース本体と、ラベル保持具１を保持可能な蓋体とからなるディスク収容ケースも含まれる。また、本発明に係るラベル保持具は、ディスク収容ケースに取り付けて使用するのに限定されず、ラベル貼付専用の貼付装置に適用することもできる。
【００３３】
【発明の効果】
以上のように、本発明に係るラベル保持具によれば、中央孔の口縁にその内側から当接可能なラベル保持片が立設されると共に載置台に取り付けられて互いに離反または接近する方向にスライド可能に形成されたＮ個のラベル保持部と、載置台に対して回動させられることによって各ラベル保持部を離反または接近する方向において互いに同等の距離だけスライドさせるスライド機構とでラベル保持手段を構成したことにより、スライド機構を回動操作してラベル保持部をスライドさせることで、その内径が異なる各種の中央孔における口縁に各ラベル保持片を当接させてラベルを正確かつ容易に位置決めさせつつ保持させることができる。
【００３４】
また、本発明に係るラベル保持具によれば、各ラベル保持部のそれぞれのスライド方向に沿ってＮ本の第１スリットが形成された載置台と、各スライド方向に対してそれぞれ交差する方向に沿ってＮ本の第２スリットが形成されて載置台に対して回動可能に取り付けられたスライド機構としての案内板と、両スリットを連通可能な突起を備えたラベル保持部とを備えたことにより、比較的簡易な構成でありながら、案内板を回動させるだけで各ラベル保持部を容易にスライドさせることができると共に載置台上にラベル紙を正確に位置決めさせつつ保持させることができる。
【００３５】
さらに、本発明に係るラベル保持具によれば、案内板の回動の中心をそれぞれ通過して互いに交差する仮想直線に沿って載置台に第１スリットを形成すると共に、回動の中心側の端部から外側の端部にかけて第１スリットとの交差角度が徐々に拡がるように案内板に第２スリットを形成したことにより、案内板の回転量当りのラベル保持部のスライド量をほぼ均一とすることができるため、ラベル保持部をスムーズにスライドさせることができる結果、ラベル紙を傷めることなく正確かつ容易に位置決めさせつつ保持させることができる。
【００３６】
また、本発明に係るラベル保持具によれば、中央孔の口縁に当接させられる外壁面がその下端部から上端部にかけて回動の中心から徐々に離間する向きに迫り出した逆テーパ状にラベル保持片を形成したことにより、中央孔の口縁にラベル保持片の外壁面を当接させた状態においてラベル紙の上動を規制できるため、作業時における風や静電気等に起因する意図しない貼り付き（ラベル紙の上動）を回避することができる。
【００３７】
さらに、本発明に係るラベル保持具によれば、その上面視形状が円弧状となるようにラベル保持片を形成したことにより、例えば小径ピン状のラベル保持片や角部を有するラベル保持片とは異なり、ラベル保持片の外壁面が中央孔の口縁に沿うようにして当接するため、中央孔の口縁部分を傷めることなくラベル紙を保持することができる。
【００３８】
また、本発明に係るラベル貼付装置によれば、蓋体に取り付けたラベル保持具にラベル紙を保持させた状態においてディスク保持部によってディスク体を保持されているケース本体を蓋体に対して相対的に回動させて上面開口部位を閉塞することでディスク体にラベル紙を面的接触させて貼付可能に構成したことにより、各種直径の位置決め用アダプタを用意することなく、中央孔の内径が異なる各種のラベル紙をラベル保持具によって位置決め保持させてディスク体に貼付することができる。
【００３９】
さらに、本発明に係るラベル貼付装置によれば、蓋体に対してケース本体を回動させて上面開口部位を閉塞したときに各係止片の先端部がそれぞれ当接可能に載置台の上方に突出させられた回動操作用のつまみを案内板に配設したことにより、ディスク体に対するラベル紙の貼付時にケース本体（トレー）の中央（すなわち、ディスク体の中央）と、ラベル保持具の中央（すなわち、ラベル紙の中央）とを正確に位置決めしつつ貼付することができる。このため、ディスク体に対してラベル紙が偏心した状態で貼付されることに起因する再生不良の発生を回避することができる。
【図面の簡単な説明】
【図１】本発明の実施の形態に係るラベル貼付装置Ｓ１、光ディスクＤおよびラベル紙１０の外観斜視図である。
【図２】本発明の実施の形態に係るラベル保持具１の外観斜視図である。
【図３】ラベル保持具１の分解斜視図である。
【図４】図２におけるＡ−Ａ線断面図である。
【図５】ラベル保持具１の平面図である。
【図６】ラベル保持具１における保持部３近傍の断面図である。
【図７】案内板４の平面図である。
【図８】ラベル保持具１の載置台２にラベル紙１０を載置した状態の断面図である。
【図９】ラベル紙１０における中央孔１０ａの口縁に保持片３２，３２，３２を当接させた状態の断面図である。
【図１０】ラベル紙１０を保持した状態のラベル保持具１（蓋体１３）の上方に光ディスクＤ（ケース本体１２）を位置させた状態の断面図である。
【図１１】ラベル保持具１のつまみ４１、および収容ケース１１のディスク保持部１５の近傍の断面図である。
【図１２】収容ケース１１を閉じた状態の断面図である。
【図１３】ケース本体１２における底板１２ａの中央部を押し下げた状態における保持部３近傍の断面図である。
【図１４】光ディスクＤに対するラベル紙１０の貼り付けが完了して蓋体１３からケース本体１２を上動させた状態の断面図である。
【図１５】本発明の他の実施の形態に係るラベル保持具１Ａの平面図である。
【図１６】本発明のさらに他の実施の形態に係る案内板６４の平面図である。
【図１７】本発明のさらに他の実施の形態に係る案内板７４の平面図である。
【符号の説明】
１，１Ａ　ラベル保持具
２　載置台
３　保持部
４，５４，６４，７４　案内板
１０　ラベル紙
１０ａ　中央孔
１１　収容ケース
１２　ケース本体
１２ａ　底板
１２ｂ　側壁
１３　蓋体
１３ｂ　保持片
１３ｃ　ストッパ
１３ｄ　天板
１３ｅ　側壁
１４　トレー
１５　ディスク保持部
１５ａ　係止片
１５ｂ　孔
２１　ベース部
２２　載置部
２２ａ　上面
２３　案内溝
２４　スリット
３１　スライド板
３２　保持片
３３　突起
４１　つまみ
４２，６５　スリット
４２ａ　内側端部
４２ｂ　外側端部
４３　スリット
５５　レバー
７５　外縁部
Ｄ　光ディスク
Ｄａ　中心孔
Ｄｂ　クランプエリア
Ｌ１　距離
Ｌ２，Ｌ３　直径
Ｓ１　ラベル貼付装置
θ１，θ２　角度
θ３ａ，θ３ｂ　交差角度
Ｘ１ａ，Ｘ１ｂ，Ｘ２ａ，Ｘ２ｂ　仮想直線
【図１】
2004083111.tif 000003
【図２】
2004083111.tif 000004
【図３】
2004083111.tif 000005
【図４】
2004083111.tif 000006
【図５】
2004083111.tif 000007
【図６】
2004083111.tif 000008
【図７】
2004083111.tif 000009
【図８】
2004083111.tif 000010
【図９】
2004083111.tif 000011
【図１０】
2004083111.tif 000012
【図１１】
2004083111.tif 000013
【図１２】
2004083111.tif 000014
【図１３】
2004083111.tif 000015
【図１４】
2004083111.tif 000016
【図１５】
2004083111.tif 000017
【図１６】
2004083111.tif 000018
【図１７】
2004083111.tif 000019